(57)【要約】【課題】ステージを備えたセンターフレームを共用できるようにし、ステージに臨ませた入球口をワープルート（ワープ通路）として機能させる場合と、入賞口（一般入賞或いは始動入賞）として機能させる場合とに使い分けできるようにして複数種類の遊技機の製造の簡素化を図ること。【解決手段】遊技盤にセンターフレームを備え、該センターフレームに表示装置を配置し、前記表示装置の手前下にステージを設け、該ステージに、前記表示装置側の奥面に入球可能な入球口を臨ませ、該入球口を遊技機前面側のステージ下部排球口に連通させるワープ通路を設けてある遊技機において、前記入球口とステージ下部排球口との間のワープ通路の一部を、前記センターフレームの前記入球口とステージ下部排球口の接続部分に対して着脱自在の、ワープ通路切替部材でもって、或いは、入賞センサ通路切替部材でもってセンターフレームとは別体構成とした。【選択図】      図２３
2008011903.tif 000002
【特許請求の範囲】
【請求項１】
遊技盤にセンターフレームを備え、該センターフレームの内側部位に表示装置を配置し、前記表示装置の手前下にステージを設け、該ステージに、前記表示装置側の奥面に入球可能な入球口を臨ませ、該入球口を遊技機前面側のステージ下部排球口に連通させるワープ通路を設けてある遊技機において、
前記入球口とステージ下部排球口との間のワープ通路の一部を、前記センターフレームの前記入球口とステージ下部排球口の接続部分に対して着脱自在のワープ通路切替部材でもってセンターフレームとは別体構成としたことを特徴とする遊技機。
【請求項２】
遊技盤にセンターフレームを備え、該センターフレームの内側部位に表示装置を配置し、前記表示装置の手前下にステージを設け、該ステージに、前記表示装置側の奥面に入球可能な入球口を臨ませ、該入球口を遊技機前面側のステージ下部排球口に連通させるワープ通路を設けてある遊技機において、
前記入球口とステージ下部排球口との間のワープ通路の一部を、前記センターフレームの前記入球口とステージ下部排球口の接続部分に対して着脱自在の、入賞センサを備えた入賞センサ通路切替部材でもってセンターフレームとは別体構成としたことを特徴とする遊技機。
【発明の詳細な説明】
【技術分野】
【０００１】
本発明は、パチンコ機やスロットマシンに代表される遊技機に関するものである。
【背景技術】
【０００２】
昨今の遊技機は、異なる遊技性のものを多機種製造しているが、その際、遊技盤の略中央に位置するセンターフレームを備えた機種においては、夫々の機種合わせたセンターフレームを個別に設計していたものである。
【０００３】
例えば、センターフレームの略中央に表示装置（例えば液晶の装飾図柄表示）を配置し、且つ、該センターフレームの上方近傍に入球口を設けた第１のワープルート（ワープ通路）の排球口を、前記表示装置の手前下に設けた凹凸状(略波型)のステージに臨ませて設け、該ステージに、前記表示装置側に入球可能な第２のワープルート（ワープ通路）の入球口を臨ませ、該入球口を遊技機前面側のステージ下部排球口に連通させ、その下方に命釘を配した始動口を設けてある遊技機がある。
【０００４】
この種の遊技機は、表示装置の手前下に設けた凹凸状(略波型)のステージで遊技球を転動（通常１、２回左右往復）させ、このステージの中央の凸部に臨ませた入球口に対して、所定の確率で入球するようにし、この入球口は、一つのワープルート（ワープ通路）（第２）を形成するものであって、ステージ上の遊技球が、表示装置側、即ち、遊技機の裏面側に入り込み、その後に遊技機の前面側のステージ下部排球口から排出され、その後に、所定の確率で始動口（センサ）或いは一般入賞口（センサ）に入球される構成とされて、そお遊技球の動きに特異な遊技性を与えるようにしたものである。
従って、前記入球口は、一つのワープルート（ワープ通路）の入り口として機能している状態にある。
【０００５】
このような構成の遊技機については、例えば、次の文献を挙げることができる。
【特許文献１】特開２０００−５１４４８号公報。
【発明の開示】
【発明が解決しようとする課題】
【０００６】
しかし、上述した遊技機は、上記センターフレームに設けたステージ及びその入球口をワープルート（ワープ通路）（第２）として機能させる一つの遊技性を得るものとして設計されたものであって、此れとは異なる遊技性を持たせたい場合、例えば、入賞口（始動口）の数を複数に増やしたい場合等、入賞口数を異ならしめる機種の場合には、別個のセンターフレームを設計するという方法が採られるのが普通であり、コストが大になると共に入賞口（始動口）の複数設置は、遊技領域に無駄を生じさせることにもなる。
【０００７】
本発明は、ステージを備えたセンターフレームを共用できるようにし、ステージに臨ませた入球口をワープルート（ワープ通路）として機能させる場合と、入賞口（一般入賞或いは始動入賞）として機能させる場合とに使い分けできるようにして複数種類の遊技機の製造の簡素化（コスト低減）を図ることを目的とする。
【課題を解決するための手段】
【０００８】
本発明において、次の語彙を明らかにしておく。
本発明にいう入賞センサ通路切替部材の入賞センサとは、1)一般入賞を感知して、所定数の遊技球を払い出す一般入賞センサ、2)大当たり抽選を行うためのゲーム始動を行う始動センサ、3)可変入賞装置やこれに類する入賞装置を稼動させる当たり抽選を行うための入賞センサ、4)これらの機能を組み合わせたセンサ機能、を含むものである。また、大当たり抽選の始動センサとしては、入球毎の一般入賞センサとしての払い出し機能を兼ね、更に、所定の保留球を超える入球には一般入賞センサとして機能するようにしたものも含まれる。
尚、入賞センサ通路切替部材が選択、使用された場合には、既存のステージ下部排球口は、ワープルート（ワープ通路）の排球口としては使用されないことなる。しかし、通常、前記ステージ下部排球口の下方には入賞口（一般、始動）が設けられており、その命釘に遊技球が当たり、跳ねた場合に前記ステージ下部排球口に一旦逆進入し、しかる後に軌道修正されて排出されるという現象が生じる場合も多々あり、こうした排球口の使用形態はあり得る。
【０００９】
本発明にいうステージは、上下の方向で凹凸（略波形）に変形し、その凹凸が遊技機の横方向に配置されたものを言う。このステージの凹凸（略波形）には、直線部分を備えるものも含まれ、遊技球を左右方向（横方向）に転動させることができて、その左右方向の略中央の凸部分に、所定の確率で入球可能な入球口を臨ませてあるものが含まれる。この入球口としては、前記略中央の凸部分に対応する遊技機前面の奥側面に形成される。
また、本発明にいうセンターフレームは、閉鎖状或いは非閉鎖状の枠形状のもので、種々の枠形状のものを含むと共に略中央にスペースが形成されて、内側部位が存するところのものをいう。
そして、ワープ通路切替部材用発光基板とは、ＬＥＤ等の発光素子を備えていて、通路切替部材がワープ通路として機能しているときの特定の形態の発光を成す基板を言うものであり、入賞センサ通路切替部材用発光基板とは、ＬＥＤ等の発光素子を備えていて、通路切替部材が入賞センサ通路として機能しているときの特定の形態の発光を成す基板を言うものである。
【００１０】
本発明にかかる遊技機は、上記目的を達成するために、手段１として、
遊技盤にセンターフレームを備え、該センターフレームの内側部位に表示装置を配置し、前記表示装置の手前下にステージを設け、該ステージに、前記表示装置側の奥面に入球可能な入球口を臨ませ、該入球口を遊技機前面側のステージ下部排球口に連通させるワープ通路を設けてある遊技機において、
前記入球口とステージ下部排球口との間のワープ通路の一部を、前記センターフレームの前記入球口とステージ下部排球口の接続部分に対して着脱自在のワープ通路切替部材でもってセンターフレームとは別体構成としたことを特徴とする。
【００１１】
このように、上記通路切替部材がワープ通路切替部材で、これが着脱自在に装着設置される構成が採られていることで、その一種のセンターフレームを製造しておくだけで、前記ワープ通路切替部材によるワープ通路としての遊技性を発揮することができながら、これを取り外すことで、他の機能、例えば、大当たり抽選を行うための入賞センサを備えた入賞センサ通路切替部材を装着することができ、こうした異なる遊技性を発現させるために、従前のようなセンターフレームを個々に製造するという面倒や、コスト高を無くすることができる。
また、上記のように、ステージにワープ通路を繋げ、ステージ下部排球口の下方に始動口を設けているタイプの遊技機では、この始動口への入賞確率の調整に際して、このステージの入球口に対する誘導釘（例えばワープ通路入口の案内釘）の調整を行えば、結果としてそれが始動口に対する釘調整となるので（始動口の命釘等を調節してもしなくても）、釘調整が行い易くなるのである。仮に、このワープ通路に入賞センサ通路切替部材（入賞センサ敷設）が設けられている場合には、始動口に対する入賞率を調整しようとしたときに、このステージの入球口に対する誘導釘（例えばワープ通路入口の案内釘）の調整を行えば、それが始動口に対する釘調整となるので、他に始動口を設けた場合の誘導釘の釘調整よりも簡単に釘調整を行うことができる。
そして、前記表示装置側の奥面に入球口を臨ませ、該入球口と遊技機前面側のステージ下部排球口との間のワープ通路の一部をワープ通路切替部材として着脱自在としたことで、他の例えばステージ自体に入球口を設けるタイプで入賞センサ通路切替部材を設けようとすれば、そのステージ面の入球口からワープ通路に落ち込んだ遊技球を裏面側に誘導する通路部分も改変しなければならないという大幅な変更を余儀なくされるところを、前記奥面から落ち込んで前方に方向を変える一部分を別体構造としたことで、その小さな部材の取替えだけで済むのである。
【００１２】
本発明にかかる遊技機は、上記目的を達成するために、手段２として、
遊技盤にセンターフレームを備え、該センターフレーの内側部位に表示装置を配置し、前記表示装置の手前下にステージを設け、該ステージに、前記表示装置側の奥面に入球可能な入球口を臨ませ、該入球口を遊技機前面側のステージ下部排球口に連通させるワープ通路を設けてある遊技機において、
前記入球口とステージ下部排球口との間のワープ通路の一部を、前記センターフレームの前記入球口とステージ下部排球口の接続部分に対して着脱自在の、入賞センサを備えた入賞センサ通路切替部材でもってセンターフレームとは別体構成としたことを特徴とする。
【００１３】
このように、上記通路切替部材が入賞センサ通路切替部材で、これが着脱自在に装着設置される構成が採られていることで、その一種のセンターフレームを製造しておくだけで、前記入賞センサ通路切替部材による入賞センサ通路として、例えば、大当たり抽選の開始、可変入賞装置のための抽選等の遊技性を発揮することができながら、これを取り外すことで、他の機能、例えば、従前のようなワープ通路切替部材を装着することができて、こうした異なる遊技性を発現させるために、従前のようなセンターフレームを個々に製造するという面倒や、コスト高を無くすることができる。また、入賞センサ通路切替部材に入賞センサが備えられていることで、この入賞センサ通路切替部材の装着で、同時に入賞センサの敷設が完了する。
また、上記のように、ステージにワープ通路を繋げ、このワープ通路に入賞センサ通路切替部材（入賞センサ敷設）が設けられている場合には、始動口に対する入賞率を調整しようとしたときに、このステージの入球口に対する誘導釘（例えばワープ通路入口の案内釘）の調整を行えば、それが始動口に対する釘調整となるので、他に始動口を設けた場合の誘導釘の釘調整よりも簡単に釘調整を行うことができる。仮に、ステージにワープ通路を繋げ、ステージ下部排球口の下方に始動口を設けている場合には、この始動口への入賞確率の調整に際して、このステージの入球口に対する誘導釘（例えばワープ通路入口の案内釘）の調整を行えば、結果としてそれが始動口に対する釘調整となるので（始動口の命釘等を調節してもしなくても）、釘調整が行い易くなるのである。
更に、前記表示装置側の奥面に入球口を臨ませ、該入球口と遊技機前面側のステージ下部排球口との間のワープ通路の一部を入賞センサ通路切替部材として着脱自在としたことで、他の例えばステージ自体に入球口を設けるタイプでワープ通路切替部材を設けようとすれば、そのステージ面の入球口からワープ通路に落ち込んだ遊技球を裏面側に誘導する通路部分も改変しなければならないという大幅な変更を余儀なくされるところを、前記奥面から落ち込んで前方に方向を変える一部分を別体構造としたことで、その小さな部材の取替えだけで済むのである。
手段３：手段１又は手段２の遊技機において、
前記センターフレームには、前記ワープ用取付部材と入賞用取付部材に共用の取り付け部と、前記ワープ用取付部材を取り付けるためのワープ用取付部材と前記入賞用取付部材を取り付けるため入賞用取付部材に共用の取り付け部とが設けられ、前記ワープ通路切替部材又は入賞センサ通路切替部材及びワープ用取付部材又は入賞用取付部材、をセンターフレームの一部に対してネジ止めにより着脱自在に装着できるように構成してあることを特徴とする。
このように、センターフレームの共用の取り付け部に対して、ネジ止めによって異なる通路切替部材を着脱させる構成とすることで、センターフレームの方の構造を何等変更させることなく、一種のセンターフレームを製造することで、組み立て工程において異なる通路切替部材を簡単に、容易に装着することができて、異なる遊技性の遊技機を低コストで製造できる。
【００１４】
手段４：手段１及び手段３の遊技機において、
前記ワープ用取付部材にワープ通路切替部材用発光基板が設けられ、前記ワープ通路切替部材の裏面側の所定位置には突部が遊技機裏面側に向けて突出され、前記ワープ通路切替部材用発光基板には前記突部を貫通させる開口が形成され、且つ、前記ワープ用取付部材の所定位置には、前記突部を嵌入させる筒部が設けられていることを特徴とする。
このように、センターフレームに前記ワープ通路切替部材を装着する場合に、前記ワープ用取付部材と、ワープ通路切替部材用発光基板との三者が対応する関係に構成されていることで、他の部材（入賞センサ通路切替部材）と共用のセンターフレームであっても、入賞センサ通路切替部材用発光基板と入賞用取付部材とを誤ってワープ通路切替部材と共に取り付ける虞れがなく、結果として、ワープ通路切替部材の装着で入賞センサ通路切替部材用発光基板（ワープ通路切替部材用発光基板とは自ずと発光形態が異なる）が稼動するといった間違いを未然に回避できる。
【００１５】
手段５：手段２及び手段３の遊技機において、
前記入賞センサ用取付部材に入賞センサ通路切替部材用発光基板が設けられ、前記入賞センサ通路切替部材の裏面側の所定位置には突部が遊技機裏面側に向けて突出され、前記入賞センサ通路切替部材用発光基板には前記突部を貫通させる開口が形成され、且つ、前記入賞センサ用取付部材の所定位置には、前記突部を嵌入させる筒部が設けられていることを特徴とする。
このように、センターフレームに前記入賞センサ通路切替部材を装着する場合に、前記入賞センサ用取付部材と、入賞センサ通路切替部材用発光基板との三者が対応する関係に構成されていることで、他の部材（ワープ通路切替部材）と共用のセンターフレームであっても、ワープ通路切替部材用発光基板とワープ通路用取付部材とを誤って入賞センサ通路切替部材と共に取り付ける虞れがなく、結果として、入賞センサ通路切替部材の装着でワープ通路切替部材用発光基板（入賞センサ通路切替部材用発光基板とは自ずと発光形態が異なる）が稼動するといった間違いを未然に回避できる。
【００１６】
手段６：手段２、手段３及び手段５の遊技機において、
前記入賞センサが、大当たり抽選を行う始動センサであることを特徴とする。
このように、入賞センサ通路切替部材が装着設置された場合で、これを大当たり抽選を行う始動センサとした場合には、この入賞センサ通路切替部材自体を着脱するだけで、ステージに臨む入球口から入球したときに始動センサを機能させて、抽選を開始することができることになり、固有の一形態の遊技性を発揮できる。
また、この入賞センサ通路切替部材に入球したことが分るように、例えば、画面中央下部に入賞を示す図柄を下から上に表示する（例えば、ボール、水しぶき、犬の骨等）にすれば、これによって、遊技球が上記入球口から入球したことの視認を得る。また、大当たりの変動を示唆する予告演出として表示を使用するようにしてもよい。
【００１７】
手段７：手段２、手段３及び手段５の遊技機において、
前記入賞センサ通路切替部材が、一般入賞センサであることを特徴とする。
このように、入賞センサ通路切替部材が装着設置された場合で、これを一般入賞センサとした場合には、この入賞センサ通路切替部材自体を着脱するだけで、ステージに臨む入球口から入球したときに一般入賞センサを機能させて、所定の遊技球を払い出すことができることになり、既存のワープ通路の入球口を一般入賞口として機能させることができ、固有の一形態の遊技性を発揮できる。
【００１８】
手段８：手段２、手段３及び手段５乃至手段７の遊技機において、
前記入賞センサ通路切替部材が、前記ステージに臨む入球口に繋がる上下貫通路を備えており、該上下貫通路に、遊技球が通過できる略環状に構成された前記入賞センサが配置されると共に下方の排球口が遊技盤の裏面でアウト球として排出されるように構成されていることを特徴とする。
このように、入賞センサ通路切替部材に入賞センサが配置されていることで、この入賞センサ通路切替部材の装着で、同時に入賞センサの敷設が完了できると共に上下貫通路に略環状の入賞センサが配置されることで、遊技球の下方への自然落下の通過時にセンサが感知する状態となり、センサに対する遊技球の衝突が回避でき、センサを傷め難いという利点がある。
【発明の効果】
【００１９】
本発明によれば、数種類の機種を設計するに際して、ワープ通路切替部材と入賞センサ通路切替部材とをセンターフレームと別体構成とし、ステージを備えたセンターフレームを共用できるようにしたことで、センターフレーム自体を別途設計することなく、異なる機能の通路切替部材を着脱するだけで、センターフレームを、ステージに臨ませた入球口をワープ通路として機能させる場合と、入賞口（一般入賞口或いは大当たり抽選のための始動入賞口）として機能させる場合とに使い分けでき、ワープ通路切替部材を備えた場合には、その固有の遊技性、即ち、ステージ上を転動する遊技球が、そのステージに臨む入球口からワープ通路を介して遊技機前面側に排出する形態が得られる遊技を、また、入賞センサ通路切替部材を備えた場合には、その固有の遊技性、即ち、そのまま入賞センサを稼動させる形態が得られる遊技機を安価に提供することができる利点がある。
【発明を実施するための最良の形態】
【００２０】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００２１】
（パチンコ機の正面構成）
図１は本実施形態のパチンコ機１０の正面図であり、図２は、パチンコ機１０の左側面図であり、図３は、その平面図である。図４は、外枠１１に対して内枠１２と前面枠（セット）１４と、セット板４００を開放した状態を示す斜視図である。（但し、図４では便宜上、遊技盤３０面上の遊技領城内の構成〔釘、センター役物等〕を空白で示しているが、アウト口３６は描いてある）。
【００２２】
図１乃至図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００２３】
内枠１２の構成を、図５及び図６を用いて詳細に説明する。図５は、パチンコ機１０の外枠１１から前面枠１４及び遊技盤３０を取り外した状態を示す背面図であり、図６は、その背面からの斜視図である。この内枠１２は、大別すると、その最下部に取り付けられた下皿ユニット１３（図１、図２参照）と、この下皿ユニット１３よりも上側の範囲で内枠１２の左側の上下方向の開閉軸線を軸心にして開閉自在に取り付けられた前面枠１４と、後述する樹脂ベース２０と、この樹脂ベース２０の後側に取り付けられる遊技盤３０（図４参照）とを備えている。
【００２４】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００２５】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。
音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように、その右側が下皿１５に片待ち支持されている。
【００２６】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００２７】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２ｂ内に嵌まり込むようにして取り付けられている。
つまり、この前面枠１４の側面の少なくとも一部が内枠１２の外側壁（リブ）１２ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００２８】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００２９】
図４乃至図６に示すように、内枠１２は、外形が矩形状の樹脂ベース２０を主体に構成されており、樹脂ベース２０の中央部には略円形状の窓孔２１が形成されている。
そして、樹脂ベース２０の後側には、図４及び図７に示す遊技盤３０が着脱可能に装着されている。図７に示すように、遊技盤３０は四角形状の合板よりなり、その周縁部が樹脂ベース２０（内枠１２）の裏側に当接した状態で取着されている。
【００３０】
従って、遊技盤３０の前面部の略中央部分が樹脂ベース２０の窓孔２１を通じて内枠１２の前面側に露出した状態となっている（図４では遊技盤３０のアウト口３６が示されている）。そして、図７に示すように、ここでは、遊技盤３０の前記内枠１２の外枠１１に対する枢着部（パチンコ機１０の正面からみて左側に上下に延びる開閉軸線を軸心にした枢着）に近いコーナー（隅）が、略三角形状に角落ち（切り欠き）７２０されている。
【００３１】
次に、図７を用いて遊技盤３０の構成を説明する。図７は遊技盤３０の構成を示す正面図である。遊技盤３０の左右やや下方位置には、２組一対の一般入賞口３１、３１が階段状に位置され、中央下方には、始動口３３が配置され、此れらに対応した入球検出センサが、遊技盤３０の背面に設けられており、これらのセンサは、図示しない電気配線を通じて後述する主制御基板（主制御装置）に接続されている。
そして、この一般入賞口３１、３１及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する大当たり抽選が開始されることになる。
【００３２】
尚、上記入賞感知センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００３３】
また、遊技盤３０の中央には、後に詳述するが、役物として、ここでは犬の頭部等がデザインされたセンターフレーム６００が設けられている。図中、６０１は、そのセンターフレーム６００の上部近傍に設けられた第１のワープルート（ワープ通路）６０２の入球口であり、６０３は、ワープルート（ワープ通路）の排球口であり、この排球口６０３は、波形のステージ６０４に臨まされている。そのステージ６０４の左右方向中央位置には、後述する第２のワープルート（ワープ通路）６０６の入球口６０５が開口されている。また、このセンターフレーム６００の中央には、液晶パネルを用いた装飾図柄表示装置４２が配置されており、その左右横側部には、スルーゲート３４，３４が配置されている。これらのスルーゲートは、遊技球の通過によって、その感知信号が後述する主制御基板（主制御装置）に入力され、所定の確率の抽選が行われて、当たりとなった場合には、後述の始動口３３の羽根物を、所定時間だけ開閉作動させる。
その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００３４】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００３５】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００３６】
内レール５１の先端部分（図７の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図７の右上部：外レール５２の先端部に相当する部位）に返しゴム５４が取着されている。従って、所定以上の勢いで発射された遊技球は、返しゴム５４に当たって跳ね返さわるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００３７】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００３８】
本実施形態では、レールユニット５０の少なくとも左側を遊技盤３０に強固に締結するために、レールユニット５０の左側はその右側よりも多いネジで遊技盤３０に締結されているので、レールユニット５０の左側についての遊技盤３０への密着性を上げることかでき、遊技球の球飛びを良くすることができる。レールユニット５０の左側が遊技盤３０に対してぐらついているとこのレールユニット５０に出射された遊技球の勢いが当該ぐらつきにより吸収されてしまうからである。
【００３９】
さらに本実施形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域の拡張が図られるようになっている。
【００４０】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図７のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図７のＳ１，Ｓ２）を貼着することで、遊技盤３０と証紙との一義性を持たせることができる。
【００４１】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００４２】
前記樹脂ベース２０において、窓孔２１（遊技盤３０）の下方には、遊技球発射装置３８より発射された直後に遊技球を案内するための発射レールが取り付けられている。発射レールは、その後方の金属板を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００４３】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００４４】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００４５】
なお、詳しい図面の開示は省略するが、遊技球発射装置３８には、前面枠１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００４６】
図４中の符号６７は上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００４７】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００４８】
図５及び図６に示すように、樹脂ベース２０には、窓孔２１の右下部に略四角形状の小窓７１が設けられている。従って、遊技盤３０の右下隅部に張られた証紙などのシール（図７のＳ１）は、この小窓７１を通じて視認できるようになっている。また、この小窓７１からシール等を貼り付けることも可能となっている。
また、図６に示すように、内枠１２の左端部には、前面枠１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００４９】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パテンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００５０】
ここで、前述した前面枠１４について、図４及び図８乃至図１４を参照しつつより詳細に説明する。
図８は、前面枠１４のベース部材５００と、その前面に取り付けられるケース状部材５３０等を取り外した状態の前面からの斜視図であり、図９は、背面からの斜視図である。図１０は、前面枠１４の背面図であり、図１１は、ケース状部材５３０等を取り外した状態の正面図であり、図１２は、ベース部材５００から、金属製の補強板１３１，１３２，１３３，１３４を取り外した状態の正面からの斜視図であり、図１２は、ベース部材５００に補強板１３１，１３２，１３３，１３４を取り付けた状態の斜視図であり、図１４は、更に、三つに分けられた発行手段５５０を夫々取り外した状態の前面斜視図である。
【００５１】
前面枠１４には前記遊技領域のほとんどを外部から視認することができるよう略楕円形状の窓部１０１が形成されている。詳しくは、ベース部材５００が窓部１０１を形成する開口を備えており、その左右側の略中央部が、上下側に比べて比較的緩やかに湾曲して細化した形状となっている。なお、前記略中央部が直線状になるようにしてもよい。
【００５２】
前面枠１４が閉じられた状態において、外レール５２の左端部はもちろん、内レール５１の左端部も、前記ベース部材５００及びこれを覆うケース状部材５３０（左側部フレーム部分）によって覆い隠される。つまり、誘導レールの少なくとも一部が、パチンコ機１０の正面からみて前面枠１４の左側部フレーム部分と重複し覆い隠される。このように遊技球が一時的に視認困難となったとしても、それは、遊技球が遊技領域に案内される通過点に過ぎず、遊技者が主として遊技を楽しむ遊技領城において遊技球が視認困難となるわけではない。そのため、実際の遊技に際しては何ら支障が生じない。また、このような支障が生じない一方で、前面枠１４の十分な強度および支持強度が確保可能となっている。
【００５３】
加えて、前面枠１４にはその周囲（例えばコーナー部分）に、演出装置７００の一つとして、各種ランプ等の発光部５５０が設けられている。これら発光部５５０は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている（図１参照）。
【００５４】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００５５】
また、図１、図８に示すように、窓部１０１の下方には貸球操作部１２０が配設されており、貸球操作部１２０には球貸しボタン１２１と、返却ボタン１２２と、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。
【００５６】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５７】
また、図１に示すように、前面枠１４の左側を前面側（図１、図８の紙面手前側）に必要以上に突出しないようにしている。こうすることで、パチンコ機１０の左側に設けられたカードサンドの球貸し装置によって直接に上皿１９に遊技球を貸し出す際に、当該球貸し装置のノーズ部（いわゆる象の鼻）の先端排出口を好適に上皿１９の上方位置に位置させることができ、当該球貸し装置のノーズ部から貸し出される遊技球を上皿１９で受けることかできる。
【００５８】
前面枠１４の裏側には、窓部１０１を囲むようにして金属製の各種補強部材が設けられている。詳しくは、図１２示すように、前面枠１４の裏側にあって窓部１０１の上下左右の外側にはそれぞれ補強板１３１，１３２，１３３，１３４が取り付けられている。これら補強板１３１〜１３４は相互に接触して連結されているが、図１３の右側および上側の補強板１３３，１３１の連結部には直接の接触を避けるためのL型の樹脂パーツ１３５が介在されている。
【００５９】
このように補強板１３３，１３１の連結部にL型の樹脂パーツ１３５を介在させているので、ノイズが補強板１３１〜１３４でループすることを防止できる。また、図８の左側の補強板１３２には、図９に示す如く、その中間位置にフック状をなす係合爪１３０、１３０、１３０が設けられており、この係合爪１３０は、前面枠１４を閉じた状態で内枠１２の孔部に係合されるように構成されている。この構成により、上皿１９を含む形態で前面枠１４が構成され、その上下の軸支位置が延長されたとしても、中間位置における前面枠１４の浮き上がりが防止できる。それ故、前面枠１４を浮かしての不正行為等が抑制されるようになっている。
【００６０】
また、図１２、図１３に示すように、下側の補強板１３４には、前記発射レールに対向する位置に樹脂製のレール側壁部材１３６が設けられている。このレール側壁部材１３６は、前面枠１４を閉じた際に発射レールの側壁となる。故に、発射レールから遊技球がこぼれ落ちないようになっている。
また、前面枠１４の図８の右端部（パチンコ機１０正面から見ると左端部）には、内枠１２の支持機構として、支持金具１５１，１５２が取り付けられている。従って、内枠１２側の支持金具７２７，７２８（図６参照）に対して前面枠１４側の支持金具１５１，１５２を組み付けることで、内枠１２に対して前面枠１４が開閉可能に装着されるようになる。
【００６１】
（パチンコ機の背面構成）
次に、セット板４００を備えたパチンコ機１０の背面の構成を詳しく説明する。図９はパチンコ機１０の背面図であり、図１６は、セット板４００を後方に開いた状態の背面の斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。
【００６２】
本実施形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板と音声ランプ制御基板とを取付台に搭載してユニット化すると共に、払出制御基板、発射制御基板および電源基板は、セット板４００の第２パーツを構成する排出通路盤２１７（図１６参照）にユニット化している。ここでは便宜上、前者のユニットを「第１制御基板ユニット２０１」と称し、後者のユニットを「第２制御基板ユニット２０２」と称することとする。
【００６３】
第１制御基板ユニット２０１、第２制御基板ユニット２０２は、ユニット単位で何ら工具等を用いずに着脱できるよう構成されており、さらにこれに加え、一部に支軸部を設けて内枠１２または遊技盤３０の裏面に対して開閉できる構成となっている。これは、各ユニット２０１〜２０２やその他構成が前後に重ねて配置されても、隠れた構成等を容易に確認することを可能とするための工夫でもある。
【００６４】
遊技盤３０は、樹脂ベース２０に囲まれた四角枠状の設置領域に設置され、図５に示す内枠１２に設けられた複数（本実施形態では５カ所）の係止固定具７０５によって脱落しないように固定されている。係止固定具７０５は手動で回動でき、固定位置（ロック位置）と固定解除位置（アンロック位置）とを切り換えることができるように遊技盤３０の左右４ヵ所の係止固定具は金属片を折り曲げ形成したＬ型の金具であり、遊技盤３０の固定状態で内枠外方へ張り出さないよう構成されている。なお、遊技盤３０の下部１カ所の係止固定具７０６は樹脂製のＩ型の留め具である。
【００６５】
図７にも示すように、遊技盤３０の中央には液晶の装飾図柄表示装置４２が配置されている一方、その下側には始動口３３が配置されている。遊技盤３０の裏面には、装飾図柄表示装置４２を取り囲むようにして、遊技球回収機構を備えた裏枠セット（図示せず）が取り付けられている。また、図１６に示すように、遊技盤３０の下方には、内枠１２に樹脂製（例えばポリカーボネート樹脂製）の排出通路盤２１７が取り付けられており、該排出通路盤２１７には、排出球をパチンコ機１０外部へ案内するための排出通路２１８が形成されている。
【００６６】
従って、図７に示す一般入賞口３１、始動口３３に入賞した遊技球は何れも前記裏枠セットの回収通路を介して集合し、さらに排出通路盤２１７の排出通路２１８を介してパチンコ機１０外部に排出される。なお、アウト口３６（図７参照）も同様に排出通路２１８に通じており、何れの入賞口にも入賞しなかった遊技球も排出通路２１８を介してパチンコ機１０外部に排出される。
【００６７】
また、内枠１２の裏面には、図４及び図１６に示されているように、第２制御基板ユニット２０２やセット板４００を取り付けるための取付機構が設けられている。具体的には、内枠１２にはその右端部に長尺状の支持金具２３５が取り付けられており、その構成を図１７に示す。図１７に示すように、支持金具２３５は長尺板状の金具本体２３６を有し、その金具本体２３６より起立させるようにして、下方２カ所に第２制御基板ユニット用の支持孔部２３７が形成されると共に、上下方２ヵ所にセット板用の支持孔部２３７，２３８が形成されている。
【００６８】
それら支持孔部２３７，２３８にはそれぞれ上下の方向で同軸心状の支持孔が形成されている。そして、セット板４００には、その右端部に上下一対の縦軸心の支軸が設けられており、この支軸を図１７に示す支持孔部２３７，２３８に上方から挿通させることで、セット板４００が内枠１２に対して開閉可能に支持される。
【００６９】
その他、図１５に示すように、内枠１２の背面構成において、遊技盤３０の右下部には、後述する払出機構部３５２より払い出される遊技球を上皿１９、下皿１５、または排出通路２１８の何れかに振り分けるための遊技球分配部２４５(図５、図６参照)が設けられている。即ち、遊技球分配部２４５の開口部２４５ａは上皿１９に通じ、開口部２４５ｂは下皿１５に通じ、開口部２４５ｃは排出通路２１８に通じる構成となっている。
図８に示すように、遊技球分配部２４５は、前記セット板４００にネジで締結固定されており、パチンコ機１０の上皿１９の排出口６７（図4参照）から異物を挿入操作するなどしても動かない、つまり遊技球分配部２４５が奥側に押されて遊技球分配部２４５と内枠１２との間に隙間が空くようなことが無いし、この隙間に異物を押入するなどによる不正を防止できる。
【００７０】
次に、第１制御基板ユニット２０１を、図1５、図1６、図１８及び図１９を用いて説明する。図１５は第１制御基板ユニット２０１の正面図（パチンコ機の裏面から見た背面図）、図１６、図１８は、同ユニット２０１の背面斜視図、図１９は、分解斜視図である。
【００７１】
第１制御基板ユニット２０１は、略Ｌ字状をなす取付台２５１を有し、この取付台２５１に主制御装置２６１とサブ制御装置２６２とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる基板ケース２６３に収容された構成とされる。
【００７２】
また、サブ制御装置２６２は、例えば主制御装置２６１（主制御基板）または図示しない表示制御装置からの指示に従い音声やランプ表示の制御を司るＣＰＵや、その他ＲＯＭ、ＲＡＭ、各種ポート等を含む音声ランプ制御基板を具備しており、この音声ランプ制御基板が透明樹脂材料等よりなる基板ケース２６５に収容されて構成されている。サブ制御装置２６２上には電源中継基板２６６が搭載されており、後述する電源基板より供給される電源がこの電源中継基板２６６を介して前記表示制御装置およびサブ制御装置２６２に出力されるようになっている。
【００７３】
取付台２５１は、有色（例えば緑、青等）の樹脂材料（例えばポリカーボネート樹脂製）にて成形され、その表面に平坦状をなす２つの基板搭載面２５２、２５３が設けられている。これら基板搭載面２５２、２５３は直交する向きに延び、前後方向に段差をもって形成されている。但し、取付台２５１は無色透明または半透明の樹脂成型品であっても良い。
【００７４】
そして、一方の基板搭載面上に主制御装置２６１（主制御基板）が横長の向きに配置されると共に、他方の基板搭載面上にサブ制御装置２６２（音声ランプ制御基板）が縦長の向きに配置されるようになっている。特に、主制御装置２６１は、パチンコ機１０裏面から見て手前側に配置され、サブ制御装置２６２はその奥側に配置される。この場合、基板搭載面が前後方向に段差をもって形成されているため、これら基板搭載面に主制御装置２６１およびサブ制御装置２６２を搭載した状態において各制御装置２６１，２６２はその一部を前後に重ねて配置されるようになる。
【００７５】
つまり、図１９等にも見られるように、主制御装置２６１はその一部（本実施の形態では１／３程度）が浮いた状態で配置されるようになる。故に、主制御装置２６１に重なる領域までサブ制御装置２６２を拡張することが可能となり、当該制御基板の大型化にも良好に対処できる。また、各制御装置が効率良く設置できるようになる。また、第１制御基板ユニット２０１を遊技盤３０に装着した状態では、基板搭載面の後方にスペースが確保され、装飾図柄表示装置４２やその電気配線等が無理なく設置できるようになっている。
【００７６】
主制御基板用の基板搭載面２５２には、左右２ヵ所に横長形状の貫通孔２５４が形成されている。これに対応して、主制御装置２６１の基板ケース２６３には、その裏面の左右２ヵ所に回動式の固定具が設けられている。主制御装置２６１を基板搭載面２５３に搭載する際には、基板搭載面２５２の貫通孔２５４に固定具が通され、その状態で固定具が回動されて主制御装置２６１がロックされる。
【００７７】
従って、上述の通り主制御装置２６１はその一部が浮いた状態で配置されるとしても、当該主制御装置２６１の脱落等の不都合が回避できる。また、主制御装置２６１は、セット板４００を開き、第１制御基板ユニット２０１を、軸線を軸心として開いた後に、この第１制御基板ユニット２０１の裏面側から固定具をロック解除しなければ、取り外しできないため、基板取り外し等の不正行為に対して抑止効果が期待できる主制御基板用の基板搭載面２５２にはその裏面に格子状のリブが設けられている。
【００７８】
取付台２５１には、左端面に上下一対の支軸２５６が設けられており、この支軸２５６を支持金具に取り付けることで、第１制御基板ユニット２０１が遊技盤３０に対して開閉可能に支持される。また、取付台２５１には、右端部に締結具として上下一対のナイラッチ２５７が設けられると共に上端部に長孔２５８が設けられており、ナイラッチ２５７を被締結孔にはめ込むこと等により、第１制御基板ユニット２０１が遊技盤３０に固定されるようになる。
【００７９】
第２制御基板ユニット２０２は、図１６及び図１８に示すように、セット板４００を構成する排出通路盤２１７でもってユニット化されているが、これには、図１５に示す払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【００８０】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１及び図８参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００８１】
上記払出制御装置３１１、発射制御装置３１２、電源制御装置３１３およびカードユニット接続基板３１４は、透明樹脂材料等よりなる基板ケース３１５，３１６，３１７(図１８)，３１８にそれぞれ収容された構成とされる。
【００８２】
図１５に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００８３】
上記のように、この遊技機１０は、島設備に固定される外枠１１に対して合成樹脂成型の内枠１２を縦軸心周りに回動自在に枢着し、この内枠１２に対して木製の遊技盤３０を裏側から固定し、更に、前記内枠１２に対し、前記内枠１２の前面側において前面枠１４を縦軸心周りに回動自在に枢着し、また、前記内枠１２に対し、後面側においてセット板４００を縦軸心周りに回動自在に枢着し、前記前面枠１４には演出装置７００（ランプ等）が設けられ、前記遊技盤３０の裏面には前記演出装置７００を制御する制御基板であるサブ制御装置２６２（音声ランプ制御基板）が備えられている。
【００８４】
そして、上記した通り、また、前記内枠１２の外枠１１に対する枢着部７２５に近い前記遊技盤３０のコーナーが、図７に示すように、略三角形状（遊技盤の中心側は円弧状）に角落ち７２０されている。前記枢着部７２５は、図２及び図４に示すように、外枠１1に固定のブラケット７２６（上端部）、７２７（下端部）に、内枠１２に固定の取り付け金具７２７（上端）、７２８（下端）を枢着することで構成されている。
図５および図６に示す通り、この遊技盤３０のコーナーの角落ち７２０に伴い、前記内枠１２を、角落ちされた遊技盤３０の切り欠き空間に延出して取り付け部７４０を構成している。勿論、この取り付け部７４０は、内枠１２が樹脂成型されるときに形成される。
【００８５】
ここで、上述したエラー状態などの状態報知について図１及び図１５に基づいて述べる。
［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、図１５に示すモニターＬＥＤ８１１が消灯し、状態表示８１２が「１」を点滅表示する。
【００８６】
（下受け皿満タン）
下受け皿満タンの報知は、図１に示す右コーナーＬＥＤ８１３が点灯し、図１５に示すモニターＬＥＤ８１１が消灯する。そして、状態表示８１２が「２」を点滅表示する。
【００８７】
（払出ユニット異常）
払出モーター駆動中にも関わらず払出カウントスイッチに遊技球の通過がない状態を示すもので、右コーナーＬＥＤ８１０が点灯し、モニターＬＥＤ８１１が消灯し、状態表示８１２が、「３」を点滅表示する。
【００８８】
［電源に関するエラー報知］
（ヒューズ切れ１及びヒューズ切れ２）
ヒューズ切れ１は、図１５に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【００８９】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、図１５に示すモニターＬＥＤ８１６及びモニターＬＥＤ８１７が消灯する。そして、遊技球等貸出装置通信異常は、前記状態表示８１２が「Ｕ」を点滅表示する。
また、コマンド異常は、ハーネスの破損等によるコマンド不良を示すもので、前記状態表示８１２が「Ｃ」を点滅表示する（電源投入時にコマンド異常になった場合は点灯表示）。更に、コネクタ未接続は、モニターＬＥＤ８１８が消灯する（ただし、発射動作中は点滅する）。
尚、図１５において、８１９は、遊技機電源コードを示し、８２０は、電源スイッチを示し、８２１は、外部接続アース線を示す。
【００９０】
本発明において、図１乃至図７に基づいて前述した通り、内枠１２に設けた遊技盤３０の遊技領域に少なくとも表示装置（装飾図柄表示装置４２）が設けられ、該遊技領域を覆うように、前記内枠１２に対して、正面視で左側部を回動軸芯として開閉自在な前面枠１４が設けられ、該前面枠１４に前記遊技領域を視認する開口５０１が設けられてある遊技機を対象としている。
開口の右側にあたる部位は、前面枠の軸とは反対側であるため、外力に対して弱くなり易い部位であり、剛性を高めるべく後述する種々の対策を施している。
一方、開口の左側にあたる部位は、遊技島に設置された状態を考慮すると開口の右側よりも薄型の形状にせざるを得ない。このため剛性を高めることが難しいが、右側の中間ケース部材と同等に補強対策を施すことにより剛性確保することができる。
そして、ベース部材の開口（窓部の開口）は、円形、楕円形のもの以外に多角形その他の形状のものも考えられる（これらの場合にも左右が細幅化することは変わらない）ため、開口形状に応じて細幅部の位置がそれぞれ設定されるものである。
【００９１】
そして、図８乃至図１４に示すように、前記前面枠１４を構成するベース部材５００のベース部材左右側部５００Ａ、５００Ｂにおいて、遊技領域の拡張を最大限とすることができるように、前記前面枠１４を構成するベース部材５００が、前記窓部１０１に対応した開口と、遊技機本体側に枢着される軸部と、を備えるとともに、回動軸芯のある側の側部５００Ａ、５００Ｂが、前記開口と側方縁部との距離が最も小さくなる細幅部と、該細幅部から上方及び下方に繋がる部位であり、前記開口と側方縁部との距離が前記細幅部よりも大きな広幅部と、を有するように構成されており、前記側部５００Ａ、５００Ｂに発光部５５０、５５０を設け、該発光部５５０、５５０を、光透過性の中間ケース部材５３０、５３０が、前記ベース部材５００のうち前記細幅部からその上下の前記広幅部までを覆うようにして、また、正面視でベース部材５００が見えない状態で、光透過性の左右の中間ケース状部材５３０、５３０を夫々ネジ止めで取り付けたものである。
前記中間ケース状部材５３０、５３０は、この実施例では、合成樹脂性で、約３ｍｍの肉厚のものとして構成されている。
【００９２】
図８は、ベース部材５００に対して、演出装置７００となる上側及び下側ケース状部材５３４、５３５、左右の中間ケース状部材５３０、５３０及び下皿ユニット１３等が一体となったものが取り外された状態が示されている。前記ベース部材５００側には、上述した発光部５００、即ち、上部、左右の発光部５５０Ａ、５５０Ｂ，５５０Ｃが設けられており、これらを覆う状態で前記一体ものが装着される。
【００９３】
図８において、前記ベース部材５００の左右上部に開口されているのは、ここに配置されるスピーカの音出力口２４である。６７は、上皿１９に通じる遊技球の排出口であり、前記ベース部材５００を貫通すると共に上皿１９の左側部に開口されている。
更に、図８、図９図１０に示すように、ベース部材５００の正面視左側部に、上下の方向で略等間隔で配置されたフック状をなす係合爪１３０，１３０，１３０が設けられ、これらは、前面枠１４を閉じた状態で内枠１２の孔部に係合されるものである。
【００９４】
図９は、ベース部材５００の背面側からの斜視図であり、図１０は、その背面図であって、図１１はその正面図である。図９及び図１０には、上述したフック状をなす係合爪１３０，１３０，１３０が示されていると共に排出口６７が示され、後に言及する如く、ベース部材左右側部５００Ａ、５００Ｂの内周縁部を前面視で覆うように、左右の発光部５５０Ｂ、５５０Ｃの基板ベース５５２，５５３の内周縁部５５２Ａ、５５３Ａが開口５０１側に入り込むように構成されている。
そして、この入り込んだ基板ベース５５２，５５３の内周縁部５５２Ａ、５５３Ａの更に内周に、後述する左右の中間ケース状部材５３０、５３０の開口５０１側の外側縁部５３０Ｅが接当し、開口５０１の内周縁の一部を形成するように構成されている。
【００９５】
図１２は、ベース部材５００に対して、金属製の上部の補強板１３１、左右の補強板１３２、１３３及び下方の補強板１３４が分離されて描かれており、これらはネジ止めで取り付けられる。
同図において、５００Ａ、５００Ｂは、ベース部材左右側部を示し、２４は、音出力口を示す。
【００９６】
図１３は、前記ベース部材５００の前面図であって、図１２におけるベース部材５００に対する金属製の上部の補強板１３１、左右の補強板１３２、１３３及び下方の補強板１３４が取り付けられた状態が描かれており、これらはネジ止めで取り付けられる。
更に、合成樹脂素材のL型の樹脂パーツ１３５が、前記上部の補強板１３１、右側の補強板１３３の上部の突合せ位置において、両者に跨って連結固定され状態を示している。
【００９７】
同図において、１３９は、前記樹脂パーツ１３５とは反対側の上部コーナーにおいて取り付けられるブラケットであり、１４０はそのブラケットに取り付けられる枢支軸５４１の取り付け金具であって、前記ブラケット１３９にネジ止めされる。１４１は、前面枠１４の軸支用ブラケットである。２４、２４は、上記ベース部材５００の上部左右コーナー近傍に設けた音出力口である。
【００９８】
図１４は、前面枠１４に対する発光部５５０の組み付け状態を示すもので、上側の発光部５５０Ａ、左右の発光部５５０Ｂ、５５０Ｃが、夫々ベース部材５００の前面側に取り付けられる。これらの上部の発光部５５０Ａ、左右の発光部５５０Ｂ、５５０Ｃには、夫々複数のＬＥＤが設けられており、それぞれを覆う透過性の上側ケース状部材５３４、左右の中間ケース状部材５３０、５３０を通して発光し、演出装置７００の一機能を発揮している。
尚、これらの上側の発光部５５０Ａ、左右の発光部５５０Ｂ、５５０Ｃには、上述したエラーの表示のための発光ＬＥＤも含まれている。
【００９９】
図１４は、前面枠１４のベース部材５００に対して発光部５５０を取り付ける状態を示しているが、上部の発光部５５０A、左右の発光部５５０Ｂ、５５０Ｃは、何れも基板ベース５５１、５５２，５５３に対して発光基板５５４，５５５，５５６をネジ止めしているものであり、前記基板ベース５５１、５５２，５５３は、ベース部材５００に取り付けられた金属製の上部の補強板１３１、左右の補強板１３２，１３３に夫々ネジ止めされている。
そして、正面視において、右側の発光部５５０Ｃは、左側の発光部５５０Ｂよりも上下に長く構成されており、その下端には、玉貸操作部１２０等に繋がる中継コネクタ５５７及びコードが接続され、その後に前面枠１４の裏面下方からコード及びコネクタが後方に延出されている。他方の発光部５５０Ｂは、上部の発光部５５０Ａに繋がり、スピーカなどの配線と共に前面枠１４の裏面上方からコード及びコネクタが延出されている。
【０１００】
図１５は、遊技機の裏面を示す背面図であって、既に言及してきたように、エラー表示のための手段を含めた遊技機の各構成要素について、番号を付している。
図１６は、遊技機の背面において、セット板４００を開いた状態を示すものであり、セット板４００を開いた状態の内枠１２の背面に配置された各構成要素、セット板４００の前面側の構成要素、例えば、排出通路盤２１７等を示す。また、図１７は、既に言及してきた長尺状の支持金具を示すものである。
そして、図１８についても、既に言及してきたように、遊技機の裏面から見た斜視図であって、既に言及してきたように、セット板４００を開いた状態、及び中枠１２及び前面枠１４を外枠１１から開いた状態で示すものであり、図１９は、第１制御基板ユニット２０１の分解斜視図であって、各構成要素を示すものである。
【０１０１】
（特徴構成）
次に、既に、一部説明を行ったが、本発明において設けられたセンターフレーム６００について、正面図である図２０、背面図である図２１、前方から見た斜視図である図２２、及び分解図である図２３に基づいて詳述する。
図２０は、遊技盤の略中央に開口された部分に、その背面部が嵌入された状態で設置されるセンターフレーム６００の正面図であって、ここでは、役物として犬の頭部等がデザインされたものが用いられ、その中央には、既に説明した液晶パネルを用いた装飾図柄表示装置４２が配置されている。
【０１０２】
このセンターフレーム６００は、その上部近傍には、第１のワープルート（ワープ通路）の入球口６０１が設けられており、ここに入球された遊技球は、左側斜め下方から垂直に落下し、下方に至るワープルート（ワープ通路）６０２から、下方に開口されたワープルート（ワープ通路）６０２の排球口６０３において排出される構成が採られている。そして、この排球口６０３は、波形のステージ６０４に臨まされている。そのステージ６０４の左右方向中央位置（緩やかな山頂部）には、第２のワープルート（ワープ通路）６０６の入球口６０５が、前記装飾図柄表示装置である表示装置４２の側に向けて開口されている。
【０１０３】
即ち、本発明にかかる遊技機は、遊技盤３０の遊技領域にセンターフレーム６００を備え、該センターフレーム６００の略中央に表示装置４２を配置し、且つ、該センターフレーム６００の上方近傍に入球口６０１を設けた第１のワープルート（ワープ通路）６０２の排球口６０３を、前記表示装置４２の手前下に設けたステージ６０４に臨ませて設け、該ステージ６０４に、前記表示装置４２側に入球可能な第２のワープルート（ワープ通路）６０６の入球口６０５を臨ませ、該入球口６０５を遊技機前面側のステージ下部排球口６０７に連通させる通路を設けてある遊技機を対象としているものである。
【０１０４】
そして、前記第２のワープルート（ワープ通路）６０６の入球口６０５とステージ下部排球口６０７との間の通路を、前記センターフレーム６００に対して着脱自在の通路切替部材６１０で構成している。即ち、前記入球口６０５とステージ下部排球口６０７との間のワープ通路の一部を、前記センターフレーム６００の前記入球口６０５とステージ下部排球口６０７の接続部分に対して着脱自在の通路切替部材６１０でもってセンターフレーム６００とは別体構成としている。
このように、前記表示装置４２側の奥面に入球口６０５を臨ませ、該入球口６０５と遊技機前面側のステージ下部排球口６０７との間のワープ通路の一部をワープ通路切替部材６１０Ａとして着脱自在としたことで、他の例えばステージ自体に入球口を設けるタイプで入賞センサ通路切替部材６１０Ｂを設けようとすれば、そのステージ面の入球口からワープ通路に落ち込んだ遊技球を裏面側に誘導する通路部分も改変しなければならないという大幅な変更を余儀なくされるところを、前記奥面から落ち込んで前方に方向を変える一部分を別体構造としたことで、その小さな部材の取替えだけで済むのである。
この通路切替部材６１０は、具体的には、図２３に示すように、二種の構成、即ち、第２のワープルート（ワープ通路）６０６の入球口６０５から前記ステージ下部排球口６０７に遊技球を誘導するワープ通路を形成するためのワープ通路切替部材６１０Ａと、第２のワープルート（ワープ通路）６０６の入球口６０５から入賞センサに誘導する入賞センサ通路切替部材６１０Ｂとから構成され、且つ、これら通路切替部材６１０Ａ、６１０Ｂが、後述するように二者択一でセンターフレーム６００の同じ位置に装着設置できるように構成されている。
【０１０５】
かかる構成は、上記通路切替部材６１０を、ワープ通路切替部材６１０Ａと入賞センサ通路切替部材６１０Ｂとから構成し、これらを二者択一で装着設置することで、異なる遊技性、即ち、ステージ６０４上を転動する遊技球が、そのステージ６０４に臨む入球口６０５から第２のワープルート（ワープ通路）６０６を介して遊技機前面側に排出する形態と、そのまま入賞センサを稼動させる形態、に使い分けすることができるのであり、これによって、センターフレーム６００自体を別途設計することなく、一部の構造改良によって、異なる遊技性を得ることができるのである。
【０１０６】
この実施例では、前記ワープ通路切替部材６１０Ａは、単なるワープルート（ワープ通路）を形成するためのものであるのに対し、前記入賞センサ通路切替部材６１０Ｂは、ここでは、大当たり抽選を行う始動センサ６１１を備えているものである。
従って、入賞センサ通路切替部材６１０Ｂが装着設置された場合には、この入賞センサ通路切替部材６１０Ｂ自体を着脱するだけで、ステージ６０４に臨む入球口６０５から入球したときに始動センサ６１１を機能させて、抽選を開始することができることになり、遊技領域に既存の始動口、この実施例では、ステージ下部排球口６０７の下方に配置された羽根物の始動口３３が存在する場合に、複数の始動口が機能することとなって、異なる遊技性を発揮できることになる。
更に、前記入賞センサ通路切替部材６１０Ｂとして、例えば、可変入賞装置３３の稼動のためのスルーゲート３４に代わる始動センサとしてもよく、また、スルーゲート３４との併用としてもよいものである。
【０１０７】
又、前記入賞センサ通路切替部材６１０Ｂが、ここでは説明省略するが、一般入賞センサである場合には、この入賞センサ通路切替部材６１０Ｂ自体を着脱するだけで、ステージ６０４に臨む入球口６０５から入球したときに一般入賞センサを機能させて、所定の遊技球を払い出すことができることになり、既存のワープルート（ワープ通路）（第２）の入球口６０５を一般入賞口として機能させることができ、上記とは異なる遊技性を発揮できることになる。
【０１０８】
更に、前記表示装置４２とステージ６０４の上面との間に、遊技機前方に照射可能な発光装置６２０が設けられるが、該発光装置６２０は、二種の発光装置の構成からなる。
一つは、図２３の左方のワープ通路切替部材６１０Ａを設ける場合に用いられるワープ通路切替部材用発光基板６２１と、該発光基板６２１を取り付けるワープ用取付部材６２３から構成され、もう一つは、図２３の右方の入賞センサ通路切替部材６１０Ｂを設ける場合に用いられる入賞センサ通路切替部材用発光基板６３０と、該発光基板６３０を取り付ける入賞用取付部材６３１とから構成されている。
【０１０９】
このワープ通路切替部材用発光基板６２１と、該発光基板６２１を取り付けるワープ用取付部材６２３は、図２４乃至図２６にも示され、また、賞センサ通路切替部材用発光基板６３０と、該発光基板６３０を取り付ける入賞用取付部材６３１は、図２７乃至図２９にも示されている。図２４乃至図２９において、６３５は、ＬＥＤを示す。このＬＥＤについては、他のランプ、EL等の手段を代わりに用い得る。
【０１１０】
更に、前記センターフレーム６００には、前記ワープ用取付部材６２３と入賞用取付部材６３１に共用の取り付け部６４０が、図２１及び図２３に示すように、二箇所設けられている点、及びワープ通路切替部材６１０Ａと入賞センサ通路切替部材６１０Ｂに共用の取り付け部６４１が設けられている点は同じであるが、一方の前記ワープ通路切替部材６１０Ａの裏面側の所定位置、ここでは、立壁６１８に、突部６１５が遊技機裏面側に向けて突出され、前記ワープ通路切替部材用発光基板６２１には前記突部６１５を貫通させる開口６１６が形成され、且つ、前記ワープ用取付部材６２３の所定位置には、前記突部６１５を嵌入させる筒部６１７が設けられており、これによって、ワープ通路切替部材６１０Ａの設置に際しては、その突部６１５が開口６１６を通過し、後方の筒部６１７に嵌入される。つまり、前記ワープ通路切替部材用発光基板６２１及びワープ用取付部材６２３に対しては、ワープ通路切替部材６１０Ａしか設置できないようにされているのである。
【０１１１】
また、他方の前記入賞センサ通路切替部材６１０Ｂの裏面側の所定位置、ここでは立壁６５０に、前記ワープ通路切替部材６１０Ａの突部６１５とは異なる位置において、突部６５１が遊技機裏面側に向けて突出され、前記入賞センサ通路切替部材用発光基板６３０には前記突部６５１を貫通させる開口６５２が形成され、且つ、前記入賞用取付部材６３１の所定位置、即ち、上記ワープ用取付部材６２３の筒部６１７の位置とは異なる位置に、前記突部６５１を嵌入させる筒部６５３が設けられている。これによって、前記入賞センサ通路切替部材用発光基板６３０及び前記前記入賞用取付部材６３１に対しては、前記入賞センサ通路切替部材６１０Ｂしか設置できないようにされているのである。
【０１１２】
更に、図示するように、前記ワープ通路切替部材及６１０Ａ及び入賞センサ通路切替部材６１０Ｂの遊技機前面側には、夫々同じ位置に、ネジ止め用ボス部６６０及び６６１が左右一対設けられており、前記センターフレーム６００には、これらのネジ止め用ボス部に対応する箇所にネジ止め部６４１が設けられている。
このように、センターフレーム６００の側のネジ止め部６４１を所定位置に設けておいて、ワープ通路切替部材６１０Ａ及び入賞センサ通路切替部材６１０Ｂの夫々同じ位置に、ネジ止め用ボス部６８０、６８１を左右一対設けることで、センターフレーム６００を何等改造することなく、前記ワープ通路切替部材６１０Ａ及び入賞センサ通路切替部材６１０Ｂを択一的に着脱させることができ、異なる遊技機能を発揮させるのに、夫々異なるワープ通路切替部材６１０Ａ及び入賞センサ通路切替部材６１０Ｂを準備しておけば、センターフレーム６００の本体の改造を必要としないものである。
【０１１３】
前記ワープ通路切替部材及６１０Ａ及び入賞センサ通路切替部材６１０Ｂの具体構造は、図３０乃至図３６に示す。
前記ワープ通路切替部材及６１０Ａの方は、前面からの斜視図である図３０、正面図である図３１及び背面図である図３２に示すように、上向きに開口するように刻設した溝６７０が、その奥側において上記ステージ６０４の入球口６０５に臨むように形成され、底部には2本線のガイド６７１が形成され、前記溝６７０の前面は、ステージ下部排球口６０７に臨んでおり、以って、第２のワープルート（ワープ通路）６０６を形成している。
【０１１４】
そして、前記入賞センサ通路切替部材６１０Ｂの方は、前面からの斜視図である図３３、その側面の図３４、背面の図３５、分解斜視の図３６に示すように、前記ステージ６０４に臨む入球口６０５に繋がる上下貫通路６７２を備えており、該上下貫通路６７２に入賞センサ６７３が配置されると共に下方の排球口６７４が遊技盤３０の裏面でアウト球として排出されるように構成されている。この入賞センサ６７３は、入球を感知して、その信号を主制御装置２６１に入力し、所定の確立の大当たり抽選を行うことになる。
勿論、この入賞センサ６７３が一般入賞とされている場合には、その感知信号は、抽選を行わずに、所定個数の遊技球を払い出すように制御される。
【０１１５】
上述した実施例は、本発明の一実施例を示すものであって、本発明はかかる具体構造に限定されるものではなく、本発明の目的が達成されるところの均等な改変については、本発明に含まれることは言うまでもない。
【産業上の利用可能性】
【０１１６】
本発明は、このタイプの遊技機において、複数種類の機種を設計するに際して、ステージを備えたセンターフレームを共用できるようにすることで、ステージに臨ませた入球口をワープルート（ワープ通路）として機能させる場合と、入賞口（一般入賞口或いは始動入賞口）として機能させる場合とに使い分けでき、遊技領域にセンターフレームを備え、そこに表示装置を備える遊技機であれば適用可能であるので、広範囲の適用が可能である。
【図面の簡単な説明】
【０１１７】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の外枠に対して内枠、前面枠、セット板を夫々開いた状態を示す斜視図である。
【図５】本発明にかかる遊技機の一例であるパチンコ機の内枠の背面図である。
【図６】本発明にかかる遊技機の一例であるパチンコ機の内枠の背面から見た斜視図である。
【図７】本発明にかかる遊技機の一例であるパチンコ機の遊技盤の正面図である。
【図８】本発明にかかる遊技機の一例であるパチンコ機の前面枠の前面枠のベース部材から前面の演出装置を取り外した斜視図である。
【図９】本発明にかかる遊技機の一例であるパチンコ機のベース部材の背面から見た斜視図である。
【図１０】本発明にかかる遊技機の一例であるパチンコ機のベース部材の背面図である。
【図１１】本発明にかかる遊技機の一例であるパチンコ機のベース部材の正面図である。
【図１２】本発明にかかる遊技機の一例であるパチンコ機のベース部材の一組み立て分解斜視図である。
【図１３】本発明にかかる遊技機の一例であるパチンコ機のベース部材の一組み立て分解斜視図である。
【図１４】本発明にかかる遊技機の一例であるパチンコ機のベース部材の一組み立て分解斜視図である。
【図１５】本発明にかかる遊技機の一例であるパチンコ機の背面図である。
【図１６】本発明にかかる遊技機の一例であるパチンコ機のセット板を開いた背面からの斜視図である。
【図１７】本発明にかかる遊技機の一例であるパチンコ機の要部の拡大斜視図である。
【図１８】本発明にかかる遊技機の一例であるパチンコ機の外枠からセット板及び内枠一体状態で前面枠を開いた背面からの斜視図である。
【図１９】本発明にかかる遊技機の一例であるパチンコ機の制御基板取り付け状態を示す分解斜視図である。
【図２０】本発明にかかる遊技機の一例であるパチンコ機のセンターフレームの正面図である。
【図２１】本発明にかかる遊技機の一例であるパチンコ機のセンターフレームの背面図ある。
【図２２】本発明にかかる遊技機の一例であるパチンコ機のセンターフレームの斜視図である。
【図２３】本発明にかかる遊技機の一例であるパチンコ機のセンターフレームの要部の分解斜視図である。
【図２４】本発明にかかる遊技機の一例であるパチンコ機のワープ通路切替部材を備えたセンターフレームの要部の斜視図である。
【図２５】本発明にかかる遊技機の一例であるパチンコ機のワープ通路切替部材を備えたセンターフレームの要部の正面図である。
【図２６】本発明にかかる遊技機の一例であるパチンコ機のワープ通路切替部材を備えたセンターフレームの要部の分解斜視図である。
【図２７】本発明にかかる遊技機の一例であるパチンコ機の入賞センサ通路切替部材を備えたセンターフレームの要部の斜視図である。
【図２８】本発明にかかる遊技機の一例であるパチンコ機の入賞センサ通路切替部材を備えたセンターフレームの要部の正面図である。
【図２９】本発明にかかる遊技機の一例であるパチンコ機の入賞センサ通路切替部材を備えたセンターフレームの要部の分解斜視図である。
【図３０】本発明にかかる遊技機の一例であるパチンコ機のワープ通路切替部材の斜視図である。
【図３１】本発明にかかる遊技機の一例であるパチンコ機のワープ通路切替部材の正面図である。
【図３２】本発明にかかる遊技機の一例であるパチンコ機のワープ通路切替部材の背面図である。
【図３３】本発明にかかる遊技機の一例であるパチンコ機の入賞センサ通路切替部材の斜視図である。
【図３４】本発明にかかる遊技機の一例であるパチンコ機の入賞センサ通路切替部材の正面図である。
【図３５】本発明にかかる遊技機の一例であるパチンコ機の入賞センサ通路切替部材の背面図である。
【図３６】本発明にかかる遊技機の一例であるパチンコ機の入賞センサ通路切替部材の分解斜視図である。
【符号の説明】
【０１１８】
３０：遊技盤
６００：センターフレーム
４２：表示装置
６０２：第１のワープルート（ワープ通路）
６０３：排球口
６０４：ステージ
６０６：第２のワープルート（ワープ通路）
６０５：入球口
６０７：ステージ下部排球口
６１０：通路切替部材
６１０Ａ：ワープ通路切替部材
６１０Ｂ：入賞センサ通路切替部材
【図１】
2008011903.tif 000003
【図２】
2008011903.tif 000004
【図３】
2008011903.tif 000005
【図４】
2008011903.tif 000006
【図５】
2008011903.tif 000007
【図６】
2008011903.tif 000008
【図７】
2008011903.tif 000009
【図８】
2008011903.tif 000010
【図９】
2008011903.tif 000011
【図１０】
2008011903.tif 000012
【図１１】
2008011903.tif 000013
【図１２】
2008011903.tif 000014
【図１３】
2008011903.tif 000015
【図１４】
2008011903.tif 000016
【図１５】
2008011903.tif 000017
【図１６】
2008011903.tif 000018
【図１７】
2008011903.tif 000019
【図１８】
2008011903.tif 000020
【図１９】
2008011903.tif 000021
【図２０】
2008011903.tif 000022
【図２１】
2008011903.tif 000023
【図２２】
2008011903.tif 000024
【図２３】
2008011903.tif 000025
【図２４】
2008011903.tif 000026
【図２５】
2008011903.tif 000027
【図２６】
2008011903.tif 000028
【図２７】
2008011903.tif 000029
【図２８】
2008011903.tif 000030
【図２９】
2008011903.tif 000031
【図３０】
2008011903.tif 000032
【図３１】
2008011903.tif 000033
【図３２】
2008011903.tif 000034
【図３３】
2008011903.tif 000035
【図３４】
2008011903.tif 000036
【図３５】
2008011903.tif 000037
【図３６】
2008011903.tif 000038